【手続補正書】
【提出日】平成22年10月14日(2010.10.14)
【手続補正１】
【補正対象書類名】明細書
【補正対象項目名】０００９
【補正方法】変更
【補正の内容】
【０００９】
また、骨部材を閉じた時に携帯性が失われない程度に、骨部材はＳ字型、波型、Ｌ字型等々の直線以外の形状にすること及び、各々骨部材を異なる長さにすることができる。この骨部材の形状、長さの多様性、及びこれらの組合せによって、多様なデザインが可能になることを特徴としている。
【手続補正２】
【補正対象書類名】明細書
【補正対象項目名】００１０
【補正方法】変更
【補正の内容】
【００１０】
請求項２においては、手持ちに便利な軸部材が請求項１の日除けに取り設けることができることを特徴としている。その軸部材には、可動継ぎ手が取り設けられ、日除け部分を日差しの方向に容易に動かすことができる。
また、軸部材は、その可能継手によって日除けを閉じた時に携帯性が良くなるように折り畳むことができる。
【手続補正３】
【補正対象書類名】明細書
【補正対象項目名】００１２
【補正方法】変更
【補正の内容】
【００１２】
請求項４においては、弾性体が圧縮ばねであることを特徴としている。
扇状に開閉できる複数の骨部材の端部が概ね要の位置で軸支されている。それら複数の骨部材の各々の間に圧縮ばねを配置し、各々の圧縮ばねの両端部を近接するそれぞれ骨部材に接合したものである。
【手続補正４】
【補正対象書類名】明細書
【補正対象項目名】００１９
【補正方法】変更
【補正の内容】
【００１９】
【図１】図１は携帯用日除けがねじりばねを使用した実施例１の実施の形態を示した斜視図である。
【図２】図２は実施例１を下部から示した底面図である。
【図３】図３は実施例１が閉じられる途中段階を下部から示した底面図である。
【図４】図４は実施例１が閉じられ、開止めを装着した状態を下部から示した底面図である。
【図５】図５は複数のねじりばねと複数の骨部材が一体に形成され、ねじりばねのコイル部分が接着されていない状態を示した平面図である。
【図６】図６は複数の骨部材と一体に形成された複数のねじりばねのコイル部分同士が接着される前の状態を示した立面詳細図である。
【図７】図７は複数の骨部材と一体に形成された複数のねじればねのコイル部分同士が接着され、手持ち用軸部材が取り設けられた立面詳細図である。
【図８】図８は複数骨部材の隣り合う骨部材間に圧縮弾性体が装設され、手持ち用軸部材が取り設けられた実施例２を上部から示した平面図である。
【図９】図９は実施例２においてループ状の開き止めを装着した状態を下部から示した底面図である。
【手続補正５】
【補正対象書類名】明細書
【補正対象項目名】００２３
【補正方法】変更
【補正の内容】
【００２３】
図７は、可動継手（５）及び可動継手（１２）の取り付けた手持ち用の軸部材（４）をねじりばね（６）の接合部分に取り設けた立面詳細図である。ここでは、可動継手（５）がボールジョイント及び可動継手（１２）がヒンジジョイントである実施例を示している。
これら可動継手（５）及び可動継手（１２）によって、簡単に日差しを遮る方向に日除け部分を動かすことができる。
また、手持ち用の軸部材（４）は可動継手（５）及び稼動継手（１２）の部分で折畳むことができる。そして、本体を閉じた時、開き止め（７）によって日除け本体と手持ち用の軸部材（４）を一体的に閉じた状態に保持できる。
【手続補正６】
【補正対象書類名】明細書
【補正対象項目名】００２８
【補正方法】変更
【補正の内容】
【００２８】
１    弾性体
２    骨部材
３    日除けシート
４    手持ち用軸部材
５    可動継手
６    ねじりばねのコイル部分
７    開き止め
８    圧縮ばね
９    要部分若しくは軸支された要部分
１０  引張ばね
１１  ループ状の開き止め
１２  可動継手
【手続補正７】
【補正対象書類名】特許請求の範囲
【補正対象項目名】全文
【補正方法】変更
【補正の内容】
【特許請求の範囲】
【請求項１】
開状態である略扇状の初期設定位置に配置された日除け部分の骨組となる直線形状，曲線形状，折線形状、若しくはそれらの組み合わせの形状からなる複数骨部材と、
該開状態である該略扇状の該初期設定位置の該複数骨部材に張設されたシートと、
前記複数骨部材及び該シートの開閉に係る一以上の弾性体と、
前記複数骨部材及び前記シートを閉状態に保持する開き止め部材とから構成され、
前記略扇状の前記初期設定位置に配置された前記複数骨部材の各々の一方の端部は、概ね要の位置にあり、略扇動可能に軸支され、若しくは略扇動可能に前記弾性体と一体に形成され、
前記一以上の弾性体は、前記複数骨部材を前記初期設定位置に保持し、前記シートを前記開状態に保持するように、
そして、前記複数骨部材の前記概ね要の位置の反対にあり自由端である各々他方の略端部が略集合されることによって、前記シートが閉状態となり、前記一以上の弾性体が弾性変形し弾性エネルギーを蓄積するように、
前記一以上の弾性体は、前記複数骨部材に装設され、若しくは前記複数骨部材と一体に形成され、
前記開き止め部材は、前記複数骨部材の自由端である前記各々他方の略端部の前記略集合状態を保持しつつ前記シートが前記閉状態を保持するように、
そして、前記一以上の弾性体の前記弾性エネルギーが蓄積された状態を保持するように
前記開き止め部材は、着脱可能に装着され、
前記開き止め部材が取り外され前記弾性エネルギーが解放されることによって、
前記複数骨部材と前記シートは、前記初期設定位置に再配置され、前記開状態となることを特徴とする携帯用日除け。
【請求項２】
前記日除け部分を支持するための手持ち用軸部材は、一以上の可動継手を備えた直線形状，曲線形状，折線形状、若しくはそれらの組み合わせの形状からなる折り畳み可能な部材であって、
該手持ち用軸部材の一方の略端部は前記日除け部分の前記概ね要の位置に装着、又は可動可能に装着、又は着脱自在に装着、若しくは可動可能かつ着脱自在に装着されることを特徴とする請求項１に記載の携帯用日除け。
【請求項３】
前記一以上の弾性体が一以上のねじりコイルばね、若しくは一以上の略V字形ばねであって、
該一以上のねじりコイルばねの各々のコイル部分、若しくは該一以上の略V字形ばねの支点部分は、前記略扇状の前記初期設定位置にある前記複数骨部材の前記概ね要の位置にあり、
前記略扇状に配置された前記複数骨部材の前期概ね要の位置にある前記各々の一方の略端部と、前記一以上のねじりコイルばねの各々略端部、若しくは前記一以上の略V字形ばねの各々略端部は、一対一に対応させて接合され、
若しくは前記複数骨部材の前期概ね要の位置にある前記各々の一方の略端部と、前記一以上のねじりコイルばねの前記各々の略端部、若しくは前記一以上の略V字形ばねの各々略端部は、一対一に対応させて一体に形成され、
前記一以上のねじりコイルばね、若しくは前記一以上の略V字形ばねは、前記複数骨部材を前記初期設定位置に保持し、前記シートを前記開状態に保持し、
そして、前記複数骨部材の前記概ね要の位置の反対にあり自由端である前記各々他方の略端部が略集合されることによって、前記シートが前記閉状態となり、前記一以上のねじりコイルばね、若しくは前記一以上の略V字形ばねが弾性変形し弾性エネルギーを蓄積することを特徴とする請求項１から２のいずれか一項に記載の携帯用日除け。
【請求項４】
前記一以上の弾性体が一以上の圧縮弾性体であって、前記略扇状の前記初期設定位置にあり、前期略扇動可能に軸支された前記複数骨部材の各々の間に該圧縮弾性体が装設され、
前記一以上の圧縮弾性体は、前記複数骨部材を前記初期設定位置に保持し、前記シートを前記開状態に保持し、
そして、前記複数骨部材の前記概ね要の位置の反対にあり自由端である前記各々他方の略端部が略集合されることによって、前記シートが前記閉状態となり、前記一以上の圧縮弾性体が弾性変形し弾性エネルギーを蓄積することを特徴とする請求項１から２のいずれか一項に記載の携帯用日除け。
【請求項５】
前記開き止め部材が、前記閉状態の前記複数骨部材と前記閉状態の前記シートが一緒に挿通しうる、若しくは前記閉状態の前記複数骨部材と前記閉状態の前記シートと折り畳まれた前記手持ち用軸部材が一緒に挿通しうるループ状であることを特徴とする請求項１から４のいずれか一項に記載の携帯用日除け。
【請求項６】
前記シートが、引張弾性資材であることを特徴とする請求項１から５のいずれか一項に記載の携帯用日除け。
【手続補正８】
【補正対象書類名】図面
【補正対象項目名】図１
【補正方法】変更
【補正の内容】
【図１】
2010259703.tif 000001
【手続補正９】
【補正対象書類名】図面
【補正対象項目名】図２
【補正方法】変更
【補正の内容】
【図２】
2010259703.tif 000002
【手続補正１０】
【補正対象書類名】図面
【補正対象項目名】図３
【補正方法】変更
【補正の内容】
【図３】
2010259703.tif 000003
【手続補正１１】
【補正対象書類名】図面
【補正対象項目名】図４
【補正方法】変更
【補正の内容】
【図４】
2010259703.tif 000004
【手続補正１２】
【補正対象書類名】図面
【補正対象項目名】図５
【補正方法】変更
【補正の内容】
【図５】
2010259703.tif 000005
【手続補正１３】
【補正対象書類名】図面
【補正対象項目名】図６
【補正方法】変更
【補正の内容】
【図６】
2010259703.tif 000006
【手続補正１４】
【補正対象書類名】図面
【補正対象項目名】図７
【補正方法】変更
【補正の内容】
【図７】
2010259703.tif 000007
【手続補正１５】
【補正対象書類名】図面
【補正対象項目名】図８
【補正方法】変更
【補正の内容】
【図８】
2010259703.tif 000008
【手続補正１６】
【補正対象書類名】図面
【補正対象項目名】図９
【補正方法】変更
【補正の内容】
【図９】
2010259703.tif 000009